(57)【要約】【課題】簡素な構成で利便性良好な起動画面を表示する。【解決手段】デジタル放送受信機のＭＰＵ１１は、電源が投入された時点で、日時情報を取得する日時取得部１１１と、電源が投入された時点から、映像情報がディスプレイ１８３に表示されるまでの期間である起動期間内において、日時取得部１１１によって取得された日時情報をディスプレイ１８３に表示する表示制御部１１７と、備えている。【選択図】図２
2009044544.tif 000002
【特許請求の範囲】
【請求項１】
デジタル方式のテレビジョン放送を受信して、受信された映像情報を外部から視認可能にモニタに出力可能に構成されたデジタル放送受信装置であって、
電源が投入された時点で、日時情報を取得する日時取得手段と、
電源が投入された時点から、映像情報が前記モニタに表示されるまでの期間である起動期間内において、前記日時取得手段によって取得された日時情報を前記モニタに表示する表示制御手段と、
を備えることを特徴とするデジタル放送受信装置。
【請求項２】
複数の日常的に対人関係において交わされる挨拶である日常挨拶情報を、それぞれ、時刻情報と対応付けて予め格納する日常挨拶記憶手段を備え、
前記表示制御手段は、前記日時取得手段によって取得された時刻情報に対応する日常挨拶情報を前記日常挨拶記憶手段から読み出して、前記モニタに表示することを特徴とする請求項１に記載のデジタル放送受信装置。
【請求項３】
複数の特定の月日において対人関係において交わされる特定の挨拶である特定挨拶情報を、月日情報と対応付けて予め格納する特定挨拶記憶手段を備え、
前記表示制御手段は、前記日時取得手段によって取得された月日情報に対応する特定挨拶情報を前記特定挨拶記憶手段から読み出して、前記モニタに表示することを特徴とする請求項２に記載のデジタル放送受信装置。
【請求項４】
電源が投入された時点で、曜日情報を取得する曜日取得手段を備え、
前記表示制御手段は、前記曜日取得手段によって取得された曜日情報を表示することを特徴とする請求項２又は請求項３に記載のデジタル放送受信装置。
【請求項５】
前記日時取得手段は、予め設定された第１所定期間毎に日時情報を取得するものであり、
前記曜日取得手段は、予め設定された第２所定期間毎に曜日情報を取得するものであって、
デジタル方式のテレビジョン放送を受信する受信手段と、
前記受信手段を介して映像情報が受信されているか否かを判定する受信判定手段と、
複数の予め設定された所定時刻を示す時刻情報及び曜日情報とそれぞれ対応付けて、前記受信手段を介して受信されている映像情報に対応するチャンネル番号情報を格納する番号記憶手段と、
前記受信判定手段によって映像情報が受信されていると判定された場合に、前記日時取得手段によって取得された日時情報に基づいて前記所定時刻に到達したか否かを判定し、前記所定時刻に到達する度に、前記受信手段を介して受信されているテレビジョン放送に対応するチャンネル番号情報を取得し、取得したチャンネル番号情報を、前記所定時刻を示す時刻情報、及び、前記曜日取得手段によって取得された曜日情報と対応付けて、前記番号記憶手段に記録する番号取得手段と、
を備え、
前記表示制御手段は、電源が投入された時点で前記日時取得手段及び曜日取得手段によってそれぞれ取得された時刻情報及び曜日情報に対応するチャンネル番号情報を、前記番号記憶手段から読み出して前記モニタに表示することを特徴とする請求項４に記載のデジタル放送受信装置。
【請求項６】
前記番号記憶手段は、前記所定時刻を示す時刻情報及び曜日情報毎に、予め設定された所定個数のチャンネル番号情報を格納するものであって、
前記所定時刻を示す時刻情報及び曜日情報毎に、選択される頻度の最も多いチャンネル番号情報である最多チャンネル番号情報を格納する最多番号記憶手段と、
前記所定時刻を示す時刻情報及び曜日情報毎に、前記番号記憶手段に格納されたチャンネル番号情報の中から、格納されている個数の最も多いチャンネル番号情報を抽出し、前記最多チャンネル番号情報として、前記最多番号記憶手段に記録する最多番号判定手段と、
を備え、
前記表示制御手段は、電源が投入された時点で前記日時取得手段及び曜日取得手段によってそれぞれ取得された時刻情報及び曜日情報に対応する最多チャンネル番号情報を、前記最多番号記憶手段から読み出して前記モニタに表示することを特徴とする請求項４又は請求項５に記載のデジタル放送受信装置。
【請求項７】
前記日時取得手段によって取得された日時情報に基づいて、電源が投入された時点から予め設定された第３所定期間が経過したか否かを判定する期間判定手段を備え、
前記表示制御手段は、
前記期間判定手段によって第３所定期間が経過していないと判定された場合に、前記日時取得手段によって取得された時刻情報に対応する日常挨拶情報を前記日常挨拶記憶手段から読み出して、前記モニタに表示し、
前記期間判定手段によって第３所定期間が経過したと判定された場合に、前記日時取得手段によって取得された時刻情報に対応するチャンネル番号情報を前記番号記憶手段から読み出して前記モニタに表示することを特徴とする請求項５に記載のデジタル放送受信装置。
【発明の詳細な説明】
【技術分野】
【０００１】
本発明は、デジタル方式のテレビジョン放送を受信して、受信された映像情報を外部から視認可能にモニタに出力可能に構成されたデジタル放送受信装置に関する。
【背景技術】
【０００２】
従来、デジタル方式のテレビジョン放送を受信して、受信された映像情報を外部から視認可能にモニタに出力可能に構成されたデジタル放送受信装置では、アナログ方式のテレビジョン放送を受信する受信装置と比較して、複雑な制御が必要となるため、電源が投入された時点から映像情報がモニタに表示されるまでの期間である起動期間として長時間（例えば、数秒間）を要し、その間、ユーザにとって待ち時間が発生する。そこで、この待ち時間を有効に利用するために、種々の装置、方法等が提案されている。
【０００３】
例えば、システム稼動時に、デジタルテレビジョン放送信号の中からＥＰＧに関するデータを抽出して所定時間毎の番組表を作成し、作成した番組表をフラッシュメモリに記憶し、ブートの際、フラッシュメモリに記憶されている番組表の中からブートされる時間帯における番組表を選択し、この選択された番組表を、制御プログラムがロードされてシステムが起動されるまでの間、ブート画面として出力するデジタルテレビジョン放送受信装置が開示されている（特許文献１参照）。
【特許文献１】特開２００６−２５１９５号公報
【発明の開示】
【発明が解決しようとする課題】
【０００４】
しかしながら、上記デジタルテレビジョン放送受信装置では、ブート画面を表示するための処理が複雑であり、起動期間が更に長くなる場合がある。
【０００５】
本発明は、上記課題に鑑みてなされたものであって、簡素な構成で利便性良好な起動画面を表示することの可能なデジタル放送受信装置を提供することを目的としている。
【課題を解決するための手段】
【０００６】
上記目的を達成するために請求項１に記載のデジタル放送受信装置は、デジタル方式のテレビジョン放送を受信して、受信された映像情報を外部から視認可能にモニタに出力可能に構成されたデジタル放送受信装置であって、電源が投入された時点で、日時情報を取得する日時取得手段と、電源が投入された時点から、映像情報が前記モニタに表示されるまでの期間である起動期間内において、前記日時取得手段によって取得された日時情報を前記モニタに表示する表示制御手段と、を備えることを特徴としている。
【０００７】
請求項２に記載のデジタル放送受信装置は、請求項１に記載のデジタル放送受信装置であって、複数の日常的に対人関係において交わされる挨拶である日常挨拶情報を、それぞれ、時刻情報と対応付けて予め格納する日常挨拶記憶手段を備え、前記表示制御手段が、前記日時取得手段によって取得された時刻情報に対応する日常挨拶情報を前記日常挨拶記憶手段から読み出して、前記モニタに表示することを特徴としている。
【０００８】
請求項３に記載のデジタル放送受信装置は、請求項２に記載のデジタル放送受信装置であって、複数の特定の月日において対人関係において交わされる特定の挨拶である特定挨拶情報を、月日情報と対応付けて予め格納する特定挨拶記憶手段を備え、前記表示制御手段が、前記日時取得手段によって取得された月日情報に対応する特定挨拶情報を前記特定挨拶記憶手段から読み出して、前記モニタに表示することを特徴としている。
【０００９】
請求項４に記載のデジタル放送受信装置は、請求項２又は請求項３に記載のデジタル放送受信装置であって、電源が投入された時点で、曜日情報を取得する曜日取得手段を備え、前記表示制御手段が、前記曜日取得手段によって取得された曜日情報を表示することを特徴としている。
【００１０】
請求項５に記載のデジタル放送受信装置は、請求項４に記載のデジタル放送受信装置であって、前記日時取得手段が、予め設定された第１所定期間毎に日時情報を取得するものであり、前記曜日取得手段が、予め設定された第２所定期間毎に曜日情報を取得するものであって、デジタル方式のテレビジョン放送を受信する受信手段と、前記受信手段を介して映像情報が受信されているか否かを判定する受信判定手段と、複数の予め設定された所定時刻を示す時刻情報及び曜日情報とそれぞれ対応付けて、前記受信手段を介して受信されている映像情報に対応するチャンネル番号情報を格納する番号記憶手段と、前記受信判定手段によって映像情報が受信されていると判定された場合に、前記日時取得手段によって取得された日時情報に基づいて前記所定時刻に到達したか否かを判定し、前記所定時刻に到達する度に、前記受信手段を介して受信されているテレビジョン放送に対応するチャンネル番号情報を取得し、取得したチャンネル番号情報を、前記所定時刻を示す時刻情報、及び、前記曜日取得手段によって取得された曜日情報と対応付けて、前記番号記憶手段に記録する番号取得手段と、を備え、前記表示制御手段が、電源が投入された時点で前記日時取得手段及び曜日取得手段によってそれぞれ取得された時刻情報及び曜日情報に対応するチャンネル番号情報を、前記番号記憶手段から読み出して前記モニタに表示することを特徴としている。
【００１１】
請求項６に記載のデジタル放送受信装置は、請求項５に記載のデジタル放送受信装置であって、前記番号記憶手段が、前記所定時刻を示す時刻情報及び曜日情報毎に、予め設定された所定個数のチャンネル番号情報を格納するものであって、前記所定時刻を示す時刻情報及び曜日情報毎に、選択される頻度の最も多いチャンネル番号情報である最多チャンネル番号情報を格納する最多番号記憶手段と、前記所定時刻を示す時刻情報及び曜日情報毎に、前記番号記憶手段に格納されたチャンネル番号情報の中から、格納されている個数の最も多いチャンネル番号情報を抽出し、前記最多チャンネル番号情報として、前記最多番号記憶手段に記録する最多番号判定手段と、を備え、前記表示制御手段が、電源が投入された時点で前記日時取得手段及び曜日取得手段によってそれぞれ取得された時刻情報及び曜日情報に対応する最多チャンネル番号情報を、前記最多番号記憶手段から読み出して前記モニタに表示することを特徴としている。
【００１２】
請求項７に記載のデジタル放送受信装置は、請求項５に記載のデジタル放送受信装置であって、前記日時取得手段によって取得された日時情報に基づいて、電源が投入された時点から予め設定された第３所定期間が経過したか否かを判定する期間判定手段を備え、前記表示制御手段が、前記期間判定手段によって所定期間が経過していないと判定された場合に、前記日時取得手段によって取得された時刻情報に対応する日常挨拶情報を前記日常挨拶記憶手段から読み出して、前記モニタに表示し、前記期間判定手段によって第３所定期間が経過したと判定された場合に、前記日時取得手段によって取得された時刻情報に対応するチャンネル番号情報を前記番号記憶手段から読み出して前記モニタに表示することを特徴としている。
【発明の効果】
【００１３】
請求項１に記載のデジタル放送受信装置によれば、電源が投入された時点で、日時情報が取得され、映像情報がモニタに表示されるまでの期間である起動期間内において、取得された日時情報がモニタに表示されるため、簡素な構成で利便性良好な起動画面を表示することができる。
【００１４】
すなわち、単に日時情報を取得してＯＳＤ（Ｏｎ−Ｓｃｒｅｅｎ  Ｄｉｓｐｌａｙ）等を介してモニタに表示するだけの処理を行うため、起動期間の遅延を来すことなく、利便性良好な起動画面を表示することができるのである。また、ＥＰＧ（Ｅｌｅｃｔｒｏｎｉｃ  Ｐｒｏｇｒａｍ  Ｇｕｉｄｅ）を介して視聴を所望する番組を選択する場合等において日時情報は必須の情報であるため、ユーザにとって有用な情報であり、利便性を向上することができるのである。
【００１５】
請求項２に記載のデジタル放送受信装置によれば、複数の日常的に対人関係において交わされる挨拶である日常挨拶情報が、それぞれ、時刻情報と対応付けて予め日常挨拶記憶手段に格納されており、取得された時刻情報に対応する日常挨拶情報が日常挨拶記憶手段から読み出されてモニタに表示されるため、ユーザに親しみを感じさせることができるので、簡素な構成で更に利便性良好な起動画面を表示することができる。
【００１６】
請求項３に記載のデジタル放送受信装置によれば、複数の特定の月日において対人関係において交わされる特定の挨拶である特定挨拶情報が、月日情報と対応付けて特定挨拶記憶手段に予め格納されており、取得された月日情報に対応する特定挨拶情報が特定挨拶記憶手段から読み出されてモニタに表示されるため、ユーザに更に親しみを感じさせることができるので、簡素な構成で更に利便性良好な起動画面を表示することができる。
【００１７】
請求項４に記載のデジタル放送受信装置によれば、電源が投入された時点で、曜日情報が取得され、取得された曜日情報が表示されるため、簡素な構成で更に利便性良好な起動画面を表示することができる。
【００１８】
請求項５に記載のデジタル放送受信装置によれば、予め設定された第１所定期間毎に日時情報が取得され、予め設定された第２所定期間毎に曜日情報が取得される。また、デジタル方式のテレビジョン放送を受信する受信手段を介して映像情報が受信されているか否かが判定され、映像情報が受信されていると判定された場合に、取得された日時情報に基づいて所定時刻に到達したか否かが判定され、所定時刻に到達する度に、受信手段を介して受信されているテレビジョン放送に対応するチャンネル番号情報が取得され、取得されたチャンネル番号情報が、所定時刻を示す時刻情報、及び、取得された曜日情報と対応付けて、番号記憶手段に記録される。そして、電源が投入された時点で取得された時刻情報及び曜日情報に対応するチャンネル番号情報が、番号記憶手段から読み出されてモニタに表示されるため、更に利便性良好な起動画面を表示することができる。
【００１９】
すなわち、電源が投入された時点で取得された時刻情報及び曜日情報に対応するチャンネル番号情報が番号記憶手段から読み出されてモニタに表示されるため、例えば、同じ曜日の同じ時間に前回視聴していたチャンネル番号情報が表示されるので、更に利便性良好な起動画面を表示することができるのである。
【００２０】
請求項６に記載のデジタル放送受信装置によれば、番号記憶手段には、所定時刻を示す時刻情報及び曜日情報毎に、予め設定された所定個数のチャンネル番号情報が格納されており、所定時刻を示す時刻情報及び曜日情報毎に、番号記憶手段に格納されたチャンネル番号情報の中から、格納されている個数の最も多いチャンネル番号情報が抽出され、選択される頻度の最も多いチャンネル番号情報である最多チャンネル番号情報として、最多番号記憶手段に、所定時刻を示す時刻情報及び曜日情報と対応付けて記録される。そして、電源が投入された時点で取得された時刻情報及び曜日情報に対応する最多チャンネル番号情報が、最多番号記憶手段から読み出されてモニタに表示されるため、更に利便性良好な起動画面を表示することができる。
【００２１】
すなわち、電源が投入された時点で取得された時刻情報及び曜日情報に対応する最多チャンネル番号情報が、最多番号記憶手段から読み出されてモニタに表示されるため、ユーザは、選択される頻度の最も多いチャンネル番号情報である最多チャンネル番号情報を知ることができ、チャンネル設定の指針となる情報として利用することができるので、更に利便性良好な起動画面を表示することができるのである。
【００２２】
請求項７に記載のデジタル放送受信装置によれば、電源が投入された時点から予め設定された第３所定期間が経過したか否かが判定され、第３所定期間が経過していないと判定された場合には、取得された時刻情報に対応する日常挨拶情報が日常挨拶記憶手段から読み出されてモニタに表示され、第３所定期間が経過したと判定された場合には、取得された時刻情報に対応するチャンネル番号情報が番号記憶手段から読み出されてモニタに表示されるため、更に利便性良好な起動画面を表示することができる。
【００２３】
すなわち、電源が投入された時点から第３所定期間が経過するまでは、日常挨拶情報がモニタに表示され、第３所定期間が経過した以降は、チャンネル番号情報がモニタに表示されるため、更に利便性良好な起動画面を表示することができるのである。
【発明を実施するための最良の形態】
【００２４】
以下に本発明の実施形態を、図面を参照しながら説明する。図１は、本発明に係るデジタル放送受信機１の構成の一例を示すブロック図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２５】
デジタル放送受信機１は、リモコン２を介してユーザからの操作入力を受け付けて、テレビジョン放送を受信し、ディスプレイ１８３及びスピーカ１６３に、それぞれ映像及び音声を出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００２６】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２７】
操作部１４は、電源のＯＮ、ＯＦＦ操作、選局等の各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２８】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２９】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３０】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３１】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する映像を表示するものである。
【００３２】
赤外線通信部１９は、リモコン２からの電源のＯＮ、ＯＦＦ操作、選局、デジタル放送受信機１の各種設定等の各種操作を受け付けるものである。リモコン２は、ユーザからの操作入力を受け付けて、操作入力に対応する赤外線信号を生成して、デジタル放送受信機１に対して出力するものである。
【００３３】
次に、デジタル放送受信機１が放送を受信する場合の動作について説明する。まず、送信されてきたデジタル放送波がアンテナ部１５１で受信される。リモコン２（又は操作部１４）を介して選局操作が受け付けられた場合には、チューナ部１５２によって受信するトランスポンダ（Ｔｒａｎｓｐｏｎｄｅｒ）の切り換えが行われる。受信されたデジタル放送波は、Ａ／Ｄ変換部１５３によりデジタル情報に変換され、復調部１５４によって復調される。
【００３４】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３５】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ１８３に映像が表示される。
【００３６】
図２は、本発明に係るデジタル放送受信機１における主要部の構成の一例を示すブロック図である。デジタル放送受信機１のＭＰＵ１１は、機能的に、日時取得部１１１、曜日取得部１１２、受信判定部１１３、番号取得部１１４、最多番号判定部１１５、期間判定部１１６、及び、表示制御部１１７を備えている。また、ＲＡＭ１２は、機能的に、日常挨拶記憶部１２１、特定挨拶記憶部１２２、番号記憶部１２３、及び、最多番号記憶部１２４を備えている。
【００３７】
ここでは、ＭＰＵ１１が、図１に示すＲＯＭ１３等に予め格納された制御プログラムを読み出して実行することにより、日時取得部１１１、曜日取得部１１２、受信判定部１１３、番号取得部１１４、最多番号判定部１１５、期間判定部１１６、表示制御部１１７等の機能部として機能すると共に、ＲＡＭ１２を、日常挨拶記憶部１２１、特定挨拶記憶部１２２、番号記憶部１２３、最多番号記憶部１２４等の機能部として機能させるものである。
【００３８】
また、ＲＡＭ１２、図１に示すＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３９】
日常挨拶記憶部１２１（日常挨拶記憶手段に相当する）は、複数の日常的に対人関係において交わされる挨拶である日常挨拶情報を、それぞれ、時刻情報と対応付けて予め格納するものである。日常挨拶記憶部１２１に格納された日常挨拶情報は、表示制御部１１７によって読み出されるものである。
【００４０】
図３（ａ）は、日常挨拶記憶部１２１に格納される日常挨拶情報の一例を示す図表である。図の左欄は、時刻情報であり、右欄は、日常挨拶情報である。例えば、５時から１１時までの時刻情報に対応付けて、「おはようございます」という日常挨拶情報が格納されており、１１時から１６時までの時刻情報に対応付けて、「こんにちは」という日常挨拶情報が格納されている。
【００４１】
再び図２に戻って、デジタル放送受信機１における主要部の構成について説明する。特定挨拶記憶部１２２（特定挨拶記憶手段に相当する）は、複数の特定の月日において対人関係において交わされる特定の挨拶である特定挨拶情報を、月日情報と対応付けて予め格納するものである。特定挨拶記憶部１２２に格納された特定挨拶情報は、表示制御部１１７によって読み出されるものである。
【００４２】
図３（ｂ）は、特定挨拶記憶部１２２に格納される特定挨拶情報の一例を示す図表である。図の左欄は、月日情報であり、右欄は、特定挨拶情報である。例えば、１月１日という月日情報に対応付けて、「あけましておめでとうございます」という特定挨拶情報が格納されており、１２月２５日という月日情報に対応付けて、「メリークリスマス」という特定挨拶情報が格納されている。
【００４３】
再び図２に戻って、デジタル放送受信機１における主要部の構成について説明する。番号記憶部１２３（番号記憶手段に相当する）は、複数の予め設定された所定時刻を示す時刻情報（例えば、３０分間隔の時刻情報）及び曜日情報とそれぞれ対応付けて、受信部１５を介して受信されている映像情報に対応する予め設定された所定個数（例えば、５個）のチャンネル番号情報を格納するものである。番号記憶部１２３に格納されるチャンネル番号情報は、番号取得部１１４によって記録され（＝書き込まれ）、最多番号判定部１１５及び表示制御部１１７によって読み出されるものである。
【００４４】
例えば、３０分間隔の時刻情報及び曜日情報とそれぞれ対応付けて、チャンネル番号情報を格納する場合には、３３６個（＝４８（＝２４（時間／日）×６０（分／時間）／３０（分））×７（日／週））の区分毎にチャンネル番号情報が格納される。従って、番号記憶部１２３には、１６８０個（＝３３６（区分）×５（個／区分））のチャンネル番号情報が格納されることになる。
【００４５】
最多番号記憶部１２４（最多番号記憶手段に相当する）は、所定時刻を示す時刻情報（ここでは、３０分間隔の時刻情報）及び曜日情報毎に、選択される頻度の最も多いチャンネル番号情報である最多チャンネル番号情報を格納するものである。最多番号記憶部１２４に格納される最多チャンネル番号情報は、最多番号判定部１１５によって記録され（＝書き込まれ）、表示制御部１１７によって読み出されるものである。
【００４６】
例えば、３０分間隔の時刻情報及び曜日情報とそれぞれ対応付けて、最多チャンネル番号情報を格納する場合には、３３６個（＝４８（＝２４（時間／日）×６０（分／時間）／３０（分））×７（日／週））の区分毎に１の最多チャンネル番号情報が格納される。
【００４７】
日時取得部１１１（日時取得手段に相当する）は、電源が投入された時点で、日時情報を取得すると共に、予め設定された第１所定期間（例えば、１０分）毎に日時情報（＝年月日情報及び時刻情報）を取得するものである。なお、本明細書に記載の発明においては、「電源が投入された時点」とは、「主電源が投入された時点」、又は、「スリープ状態（＝リモコン２からの電源投入操作のみを受け付ける状態）からリモコン２からの電源投入操作が受け付けられた時点」を意味している。
【００４８】
曜日取得部１１２（曜日取得手段に相当する）は、電源が投入された時点で、日時情報を取得すると共に、予め設定された第２所定期間（例えば、１０分）毎に曜日情報を取得するものである。
【００４９】
受信判定部１１３（受信判定手段に相当する）は、受信部１５を介して映像情報が受信されているか否かを判定するものである。すなわち、受信部１５を介して映像情報が受信されている場合には、受信された映像情報がディスプレイ１８３に表示され、ユーザが視聴していることが推定されるため、受信判定部１１３は、受信部１５を介して映像情報が受信されているか否かを判定することによって、ユーザが映像情報を視聴しているか否かを間接的に判定しているのである。
【００５０】
番号取得部１１４（番号取得手段に相当する）は、受信判定部１１３によって映像情報が受信されていると判定された場合に、日時取得部１１１によって取得された日時情報に基づいて所定時刻（ここでは、３０分間隔の時刻：例えば、１０時、１０時３０分、１１時、・・・）に到達したか否かを判定し、所定時刻に到達する度に、受信部１５を介して受信されているテレビジョン放送に対応するチャンネル番号情報を取得し、取得したチャンネル番号情報を、所定時刻を示す時刻情報、及び、曜日取得部１１２によって取得された曜日情報と対応付けて、番号記憶部１２３に記録する（＝書き込む）ものである。
【００５１】
最多番号判定部１１５（最多番号判定手段に相当する）は、所定時刻（ここでは、３０分間隔の時刻：例えば、１０時、１０時３０分、１１時、・・・）を示す時刻情報及び曜日情報毎に、番号記憶部１２３に格納されたチャンネル番号情報の中から、格納されている個数の最も多いチャンネル番号情報を抽出し、最多チャンネル番号情報として、最多番号記憶部１２４に記録する（＝書き込む）ものである。
【００５２】
例えば、番号記憶部１２３の１の区分に、チャンネル番号情報として、「４」、「１０」、「６」、「６」、「６」が格納されている場合には、最多番号判定部１１５は、「６」を最多チャンネル番号情報として最多番号記憶部１２４に記録する。
【００５３】
期間判定部１１６（期間判定手段に相当する）は、日時取得部１１１によって取得された日時情報に基づいて、電源が投入された時点から予め設定された第３所定期間（例えば、１秒）が経過したか否かを判定するものである。
【００５４】
表示制御部１１７（表示制御手段に相当する）は、電源が投入された時点から、映像情報がディスプレイ１８３に表示されるまでの期間である起動期間内において、電源が投入された時点で日時取得部１１１及び曜日取得部１１２によってそれぞれ取得された日時情報及び曜日情報をディスプレイ１８３に表示するものである（図６参照）。
【００５５】
また、表示制御部１１７は、電源が投入された時点で日時取得部１１１によって取得された時刻情報に対応する日常挨拶情報を日常挨拶記憶部１２１から読み出して、ディスプレイ１８３に表示するものである。例えば、時刻情報が１０時である場合には、「おはようございます」との文字情報を、ＯＳＤを介してディスプレイ１８３に表示し、時刻情報が１４時である場合には、「こんにちは」との文字情報を、ＯＳＤを介してディスプレイ１８３に表示するものである（図３（ａ）、図６参照）。
【００５６】
更に、表示制御部１１７は、電源が投入された時点で日時取得部１１１によって取得された月日情報に対応する特定挨拶情報を特定挨拶記憶部１２２から読み出して、ディスプレイ１８３に表示するものである。例えば、月日情報が１月１日である場合には、「あけましておめでとうございます」との文字情報を、ＯＳＤを介してディスプレイ１８３に表示するものである（図３（ｂ）、図６参照）。
【００５７】
加えて、表示制御部１１７は、電源が投入された時点で日時取得部１１１及び曜日取得部１１２によってそれぞれ取得された時刻情報及び曜日情報に対応する最新のチャンネル番号情報（＝直近の同時刻、同曜日に視聴していたチャンネル番号情報）を、番号記憶部１２３から読み出してディスプレイ１８３に表示するものである（図６（ｂ）参照）。
【００５８】
また、表示制御部１１７は、電源が投入された時点で日時取得部１１１及び曜日取得部１１２によってそれぞれ取得された時刻情報及び曜日情報に対応する最多チャンネル番号情報を、最多番号記憶部１２４から読み出してディスプレイ１８３に表示するものである（図６（ｂ）参照）。
【００５９】
更に、表示制御部１１７は、期間判定部１１６によって電源が投入された時点から第３所定期間（ここでは、１秒）が経過していないと判定された場合に、日常挨拶情報及び特定挨拶情報を、第１起動画面としてＯＳＤを介してディスプレイ１８３に表示し（図６（ａ）参照）、期間判定部１１６によって電源が投入された時点から第３所定期間（ここでは、１秒）が経過したと判定された場合に、最新のチャンネル番号情報及び最多チャンネル番号情報を、第２起動画面としてＯＳＤを介してディスプレイ１８３に表示する（図６（ｂ）参照）ものである。
【００６０】
図３（ｃ）は、表示制御部１１７による起動画面の切り換えタイミングを示す説明図である。図の横軸は時間であって、左端の時刻Ｔ０は、電源が投入された時点であり、時刻Ｔ１は、電源が投入された時点から第３所定期間（ここでは、１秒）が経過した時点であり、時刻Ｔ２は、起動処理が終了し、映像情報がディスプレイ１８３に表示可能となる時点である。
【００６１】
図に示すように、時刻Ｔ０から時刻Ｔ１までの間は、表示制御部１１７によって、第１起動画面（図６（ａ）参照）がディスプレイ１８３に表示され、時刻Ｔ１から時刻Ｔ２までの間は、表示制御部１１７によって、第２起動画面（図６（ｂ）参照）がディスプレイ１８３に表示され、時刻Ｔ２以降は、映像情報がディスプレイ１８３に表示される。
【００６２】
図４は、デジタル放送受信機１（主にＭＰＵ１１）の起動画面表示動作の一例を示すフローチャートである。ここでは、便宜上、番号取得部１１４及び最多番号判定部１１５によって、それぞれ、チャンネル番号情報及び最多チャンネル番号情報が、番号記憶部１２３及び最多番号記憶部１２４に格納されている場合について説明する。
【００６３】
まず、日時取得部１１１によって、電源が投入されたか否かの判定が行われる（Ｓ１０１）。電源が投入されていないと判定された場合（Ｓ１０１でＮＯ）には、処理が待機状態とされる。電源が投入されたと判定された場合（Ｓ１０１でＹＥＳ）には、日時取得部１１１及び曜日取得部１１２によってそれぞれ取得された時刻情報及び曜日情報が取得される（Ｓ１０３）。
【００６４】
そして、表示制御部１１７によって、ステップＳ１０３において取得された時刻情報に対応する日常挨拶情報が日常挨拶記憶部１２１から読み出される（Ｓ１０５）。次いで、表示制御部１１７によって、ステップＳ１０３において取得された月日情報に対応する特定挨拶情報が、特定挨拶記憶部１２２に格納されているか否か（＝ステップＳ１０３において取得された月日情報に対応する月日が特定の月日であるか否か）の判定が行われる（Ｓ１０７）。
【００６５】
特定の月日ではないと判定された場合（Ｓ１０７でＮＯ）には、表示制御部１１７によって、日時情報、曜日情報、及び、日常挨拶情報を表示する第１起動画面がディスプレイ１８３に表示され（Ｓ１０９）、処理がステップＳ１１５に進められる。特定の月日であると判定された場合（Ｓ１０７でＹＥＳ）には、表示制御部１１７によって、ステップＳ１０３において取得された月日情報に対応する特定挨拶情報が特定挨拶記憶部１２２から読み出される（Ｓ１１１）。そして、表示制御部１１７によって、日時情報、曜日情報、日常挨拶情報、及び、特定挨拶情報を表示する第１起動画面（図６（ａ）参照）がディスプレイ１８３に表示される（Ｓ１１３）。
【００６６】
ステップＳ１０９又はステップＳ１１３の処理が終了した場合には、期間判定部１１６によって、電源が投入された時点から予め設定された第３所定期間（ここでは、１秒）が経過したか否かの判定が行われる（Ｓ１１５）。第３所定期間が経過していないと判定された場合（Ｓ１１５でＮＯ）には、処理が待機状態とされる。
【００６７】
第３所定期間が経過したと判定された場合（Ｓ１１５でＹＥＳ）には、表示制御部１１７によって、最新のチャンネル番号情報及び最多チャンネル番号情報がそれぞれ番号記憶部１２３及び最多番号記憶部１２４から読み出されて、最新のチャンネル番号情報及び最多チャンネル番号情報を表示する第２起動画面（図６（ａ）参照）ディスプレイ１８３に表示される（Ｓ１１７）。そして、表示制御部１１７によって、起動が完了したか否かの判定が行われる（Ｓ１１９）。起動が完了していないと判定された場合（Ｓ１１９でＮＯ）には、処理が待機状態とされる。起動が完了したと判定された場合（Ｓ１１９でＹＥＳ）には、処理が終了される。
【００６８】
図５は、デジタル放送受信機１（主にＭＰＵ１１）のチャンネル番号処理動作の一例を示すフローチャートである。ここでは、便宜上、日時取得部１１１及び曜日取得部１１２によってそれぞれ時刻情報及び曜日情報が取得されている場合について説明する。まず、受信判定部１１３によって、受信部１５を介して映像情報が受信されているか否かが判定される（Ｓ２０１）。
【００６９】
映像情報が受信されていないと判定された場合（Ｓ２０１でＮＯ）には、処理が待機状態とされる。映像情報が受信されていないと判定された場合（Ｓ２０１でＮＯ）には、番号取得部１１４によって、所定時刻に到達したか否かが判定される（Ｓ２０３）。所定時刻に到達していないと判定された場合（Ｓ２０３でＮＯ）には、処理がステップＳ２０１に戻され、ステップＳ２０１以降の処理が繰り返し実行される。所定時刻に到達したと判定された場合（Ｓ２０３でＹＥＳ）には、番号取得部１１４によって、受信部１５を介して受信されているテレビジョン放送に対応するチャンネル番号情報が取得される（Ｓ２０５）。そして、番号取得部１１４によって、ステップＳ２０５において取得されたチャンネル番号情報が番号記憶部１２３に記録される（Ｓ２０７）。
【００７０】
次いで、番号取得部１１４によって、ステップＳ２０７において番号記憶部１２３に記録された区分に記録されているチャンネル番号情報が閾値個数（＝所定個数＋１：例えば、６個）以上であるか否かの判定が行われる（Ｓ２０９）。閾値個数以上ではない（＝閾値個数未満である）と判定された場合（Ｓ２０９でＮＯ）には、処理がステップＳ２１３に進められる。閾値個数以上であると判定された場合（Ｓ２０９でＹＥＳ）には、番号取得部１１４によって、ステップＳ２０７において番号記憶部１２３に記録された区分に記録されているチャンネル番号情報の内、最も古いチャンネル番号情報が消去される（Ｓ２１１）。
【００７１】
ステップＳ２０９でＮＯの場合、又は、ステップＳ２１１の処理が終了した場合には、最多番号判定部１１５によって、ステップＳ２０７において記録された区分に記録されているチャンネル番号情報の中から、格納されている個数の最も多いチャンネル番号情報が最多チャンネル番号情報として抽出される（Ｓ２１３）。そして、最多番号判定部１１５によって、ステップＳ２１３において抽出された最多チャンネル番号情報が、最多番号記憶部１２４に格納され（Ｓ２１５）、処理が終了される。
【００７２】
図６は、図４に示すフローチャートのステップＳ１１３及びステップＳ１１７においてそれぞれディスプレイ１８３に表示される第１起動画面及び第２起動画面の一例を示す画面図である。（ａ）は、図４に示すフローチャートのステップＳ１１３においてディスプレイ１８３に表示される第１起動画面３００である。第１起動画面３００には、上側から順に、日時表示部３０１、日常挨拶表示部３０２、及び、特定挨拶表示部３０３が表示されている。
【００７３】
日時表示部３０１は、日時取得部１１１及び曜日取得部１１２によってそれぞれ取得された時刻情報及び曜日情報を表示するものである。日常挨拶表示部３０２は、表示制御部１１７によって、日常挨拶記憶部１２１から読み出された日常挨拶情報を表示するものであって、ここでは、日時表示部３０１に表示された時刻（＝９時３０分）に対応する日常挨拶情報として「おはようございます」と表示されている（図３（ａ）参照）。特定挨拶表示部３０３は、表示制御部１１７によって、特定挨拶記憶部１２２から読み出された特定挨拶情報を表示するものであって、ここでは、日時表示部３０１に表示された月日（＝１月１日）に対応する特定挨拶情報として「あけましておめでとうございます」と表示されている（図３（ｂ）参照）。
【００７４】
（ｂ）は、図４に示すフローチャートのステップＳ１１７においてディスプレイ１８３に表示される第２起動画面３１０である。第２起動画面３１０には、上側から順に、日時表示部３１１、及び、チャンネル表示部３１２が表示されている。日時表示部３１１は、日時取得部１１１及び曜日取得部１１２によってそれぞれ取得された時刻情報及び曜日情報を表示するものである。チャンネル表示部３１２は、表示制御部１１７によって、番号記憶部１２３及び最多番号記憶部１２４からそれぞれ読み出された最新のチャンネル番号情報及び最多チャンネル番号情報を表示するものである。
【００７５】
ここでは、チャンネル表示部３１２に、「前回月曜日の９時３０分頃視聴していたチャンネル番号：６」と表示され、最新のチャンネル番号が「６」であることが分かる。また、チャンネル表示部３１２に、「月曜日の９時３０分頃頻繁に視聴しているチャンネル番号：１０」と表示され、最多チャンネル番号が「１０」であることが分かる。
【００７６】
このようにして、電源が投入された時点で、日時情報が取得され、映像情報がディスプレイ１８３に表示されるまでの期間である起動期間内において、取得された日時情報がディスプレイ１８３に表示される（図６参照）ため、簡素な構成で利便性良好な起動画面を表示することができる。
【００７７】
すなわち、単に日時情報を取得してＯＳＤ（Ｏｎ−Ｓｃｒｅｅｎ  Ｄｉｓｐｌａｙ）等を介してディスプレイ１８３に表示するだけの処理を行うため、起動期間の遅延を来すことなく、利便性良好な起動画面を表示することができるのである。また、ＥＰＧ（Ｅｌｅｃｔｒｏｎｉｃ  Ｐｒｏｇｒａｍ  Ｇｕｉｄｅ）を介して視聴を所望する番組を選択する場合等において日時情報は必須の情報であるため、ユーザにとって有用な情報であり、利便性を向上することができるのである。
【００７８】
また、複数の日常的に対人関係において交わされる挨拶である日常挨拶情報が、それぞれ、時刻情報と対応付けて予め日常挨拶記憶部１２１に格納されており、取得された時刻情報に対応する日常挨拶情報が日常挨拶記憶部１２１から読み出されてディスプレイ１８３に表示される（図６（ａ）参照）ため、ユーザに親しみを感じさせることができるので、簡素な構成で更に利便性良好な起動画面を表示することができる。
【００７９】
更に、複数の特定の月日において対人関係において交わされる特定の挨拶である特定挨拶情報が、月日情報と対応付けて特定挨拶記憶部１２２に予め格納されており、取得された月日情報に対応する特定挨拶情報が特定挨拶記憶部１２２から読み出されてディスプレイ１８３に表示される（図６（ａ）参照）ため、ユーザに更に親しみを感じさせることができるので、簡素な構成で更に利便性良好な起動画面を表示することができる。
【００８０】
加えて、電源が投入された時点で、曜日情報が取得され、取得された曜日情報が表示される（図６参照）ため、簡素な構成で更に利便性良好な起動画面を表示することができる。
【００８１】
また、予め設定された第１所定期間（例えば、１０分）毎に日時情報が取得され、予め設定された第２所定期間（例えば、１０分）毎に曜日情報が取得される。また、デジタル方式のテレビジョン放送を受信する受信部１５を介して映像情報が受信されているか否かが判定され、映像情報が受信されていると判定された場合に、取得された日時情報に基づいて所定時刻に到達したか否かが判定され、所定時刻に到達する度に、受信部１５を介して受信されているテレビジョン放送に対応するチャンネル番号情報が取得され、取得されたチャンネル番号情報が、所定時刻を示す時刻情報、及び、取得された曜日情報と対応付けて、番号記憶部１２３に記録される。そして、電源が投入された時点で取得された時刻情報及び曜日情報に対応するチャンネル番号情報が、番号記憶部１２３から読み出されてディスプレイ１８３に表示されるため、更に利便性良好な起動画面を表示することができる。
【００８２】
すなわち、電源が投入された時点で取得された時刻情報及び曜日情報に対応するチャンネル番号情報が番号記憶部１２３から読み出されてディスプレイ１８３に表示されるため、例えば、同じ曜日の同じ時間に前回視聴していたチャンネル番号情報が表示される（図６（ｂ）参照）ので、更に利便性良好な起動画面を表示することができるのである。
【００８３】
更に、番号記憶部１２３には、所定時刻を示す時刻情報及び曜日情報毎に、予め設定された所定個数（例えば、５個）のチャンネル番号情報が格納されており、所定時刻を示す時刻情報及び曜日情報毎に、番号記憶部１２３に格納されたチャンネル番号情報の中から、格納されている個数の最も多いチャンネル番号情報が抽出され、選択される頻度の最も多いチャンネル番号情報である最多チャンネル番号情報として、最多番号記憶部１２４に、所定時刻を示す時刻情報及び曜日情報と対応付けて記録される。そして、電源が投入された時点で取得された時刻情報及び曜日情報に対応する最多チャンネル番号情報が、最多番号記憶部１２４から読み出されてディスプレイ１８３に表示されるため、更に利便性良好な起動画面を表示することができる。
【００８４】
すなわち、電源が投入された時点で取得された時刻情報及び曜日情報に対応する最多チャンネル番号情報が、最多番号記憶部１２４から読み出されてディスプレイ１８３に表示されるため、ユーザは、選択される頻度の最も多いチャンネル番号情報である最多チャンネル番号情報を知ることができ、チャンネル設定の指針となる情報として利用することができるので、更に利便性良好な起動画面を表示することができるのである。
【００８５】
加えて、電源が投入された時点から予め設定された第３所定期間（例えば、１秒）が経過したか否かが判定され、第３所定期間が経過していないと判定された場合には、取得された時刻情報に対応する日常挨拶情報が日常挨拶記憶部１２１から読み出されてディスプレイ１８３に表示され（図６（ａ）参照）、第３所定期間が経過したと判定された場合には、取得された時刻情報に対応するチャンネル番号情報が番号記憶部１２３から読み出されてディスプレイ１８３に表示される（図６（ｂ）参照）ため、更に利便性良好な起動画面を表示することができる。
【００８６】
すなわち、電源が投入された時点から第３所定期間が経過するまでは、日常挨拶情報がディスプレイ１８３に表示され、第３所定期間が経過した以降は、チャンネル番号情報がディスプレイ１８３に表示されるため、更に利便性良好な起動画面を表示することができるのである。
【００８７】
なお、本発明は、以下の形態にも適用可能である。
（Ａ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００８８】
（Ｂ）本実施形態では、ＭＰＵ１１が、日時取得部１１１、曜日取得部１１２、受信判定部１１３、番号取得部１１４、最多番号判定部１１５、期間判定部１１６、表示制御部１１７等として機能する場合について説明したが、日時取得部１１１、曜日取得部１１２、受信判定部１１３、番号取得部１１４、最多番号判定部１１５、期間判定部１１６、及び、表示制御部１１７の内、少なくとも１の機能部が回路等のハードウェアによって構成されている形態でもよい。
【００８９】
（Ｃ）本実施形態では、表示制御部１１７が、起動時間内で、２つの画面（＝第１起動画面３００及び第２起動画面３１０（図６参照））を切り換えて表示する場合について説明したが、表示制御部１１７が、３個以上の画面を切り換えて表示する形態でもよい。この場合には、より多くの情報をユーザに提供することができ、利便性を向上することができる。
【図面の簡単な説明】
【００９０】
【図１】は、本発明に係るデジタル放送受信機の一例を示すブロック図である。
【図２】は、本発明に係るデジタル放送受信機における主要部の構成の一例を示すブロック図である。
【図３】は、日常挨拶記憶部に格納される日常挨拶情報の一例を示す図表、特定挨拶記憶部に格納される特定挨拶情報の一例を示す図表、及び、表示制御部による起動画面の切り換えタイミングを示す説明図である。
【図４】は、デジタル放送受信機（主にＭＰＵ）の起動画面表示動作の一例を示すフローチャートである。
【図５】は、デジタル放送受信機（主にＭＰＵ）のチャンネル番号処理動作の一例を示すフローチャートである。
【図６】は、図４に示すフローチャートのステップＳ１１３及びステップＳ１１７においてそれぞれディスプレイ１８３に表示される第１起動画面及び第２起動画面の一例を示す画面図である。
【符号の説明】
【００９１】
１    デジタル放送受信機（デジタル放送受信装置）
１１    ＭＰＵ
１１１    日時取得部（日時取得手段）
１１２    曜日取得部（曜日取得手段）
１１３    受信判定部（受信判定手段）
１１４    番号取得部（番号取得手段）
１１５    最多番号判定部（最多番号判定手段）
１１６    期間判定部（期間判定手段）
１１７    表示制御部（表示制御手段）
１２    ＲＡＭ
１２１    日常挨拶記憶部（日常挨拶記憶手段）
１２２    特定挨拶記憶部（特定挨拶記憶手段）
１２３    番号記憶部（番号記憶手段）
１２４    最多番号記憶部（最多番号記憶手段）
１５    受信部（受信手段）
１８    画像出力部
１８３    ディスプレイ（モニタ）
２    リモコン
【図１】
2009044544.tif 000003
【図２】
2009044544.tif 000004
【図３】
2009044544.tif 000005
【図４】
2009044544.tif 000006
【図５】
2009044544.tif 000007
【図６】
2009044544.tif 000008